【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が配列された複数の周回体と、
前記各周回体について各絵柄のうち一部の絵柄を視認可能とする表示部と、
前記各周回体の周回を開始させるべく操作される始動操作手段と、
前記始動操作手段の操作に基づいて特定役を含む役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間に、操作された停止操作手段と対応する周回体の周回を停止させるよう前記各駆動手段を停止駆動制御する停止駆動制御手段と、
前記表示部から視認できる有効位置に、前記役の抽選に当選した当選役と対応する当選絵柄が所定の組合せを形成して停止した場合、入賞成立として遊技者に特典を付与する特典付与手段と
を備えた遊技機において、
前記特典付与手段は、
前記役の抽選結果が前記特定役当選であって第１入賞が成立した場合、第１特典を付与する第１特典付与手段と、
前記役の抽選結果が前記特定役当選であって第２入賞が成立した場合、前記第１特典より有利度合いが大きく、前記第１特典より多くの遊技回にわたって遊技状態を遊技者に有利な特定遊技状態に移行させる第２特典を付与する第２特典付与手段と
を備え、
前記各周回体のうち規定の周回体には、前記第１入賞を形成する第１特定絵柄を前記規定期間に前記有効位置に到達させることが可能なタイミングで対応する停止操作手段が操作された場合、前記第２入賞を形成する第２特定絵柄が前記有効位置に到達せず、前記第２特定絵柄を前記規定期間に前記有効位置に到達させることが可能なタイミングで対応する停止操作手段が操作された場合には前記第１特定絵柄が前記有効位置に到達しないよう、前記第１特定絵柄と前記第２特定絵柄を離間して配置したことを特徴とする遊技機。
【請求項２】
前記第１特典付与手段は、前記第１入賞が成立した場合、第１枚数の遊技媒体を払い出し、前記第２特典付与手段は、前記第２入賞が成立した場合、前記第１枚数より少ない遊技媒体を払い出すと共に、又は遊技媒体の払出を行うことなく、前記第１入賞が成立した場合より遊技者の有利度合いが大きな特定遊技状態に遊技状態を移行させることを特徴とする請求項１に記載の遊技機。
【請求項３】
前記第１特典付与手段は、前記規定の周回体に付された第１特定絵柄が前記有効位置に停止した場合に前記第１特典を付与し、前記第２特典付与手段は、前記規定の周回体に付された第２特定絵柄と、他の所定の周回体に付された第２特定絵柄とが前記有効位置に停止した場合に前記第２特典を付与し、前記他の所定の周回体には、前記第２特定絵柄を、対応する停止操作手段が所定のタイミングで操作された場合に限り前記規定期間に前記有効位置に到達させることが可能となるように配置したことを特徴とする請求項１又は２に記載の遊技機。
【請求項４】
周方向に周回すると共に、該周方向に複数種の絵柄が配列された複数の周回体と、
前記各周回体について各絵柄のうち一部の絵柄を視認可能とする表示部と、
前記各周回体の周回を開始させるべく操作される始動操作手段と、
前記始動操作手段の操作に基づいて特定役を含む役の抽選を行う抽選手段と、
前記各周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記役の抽選結果及び前記各停止操作手段の操作に基づいて、該各停止操作手段の操作タイミングから予め定めた規定期間内に、操作された停止操作手段と対応する周回体の周回を停止させるよう前記各駆動手段を停止駆動制御する停止駆動制御手段と、
前記表示部から視認できる有効位置に、前記役の抽選に当選した当選役と対応する当選絵柄が所定の組合せを形成して停止した場合、入賞成立として遊技者に特典を付与する特典付与手段と
を備えた遊技機において、
前記特典付与手段は、
前記役の抽選結果が前記特定役当選であって第１入賞が成立した場合、第１枚数の遊技媒体を払い出す第１特典付与手段と、
前記役の抽選結果が前記特定役当選であって第２入賞が成立した場合、前記第１枚数より少ない遊技媒体を払い出すと共に、又は遊技媒体の払出を行うことなく、前記第１入賞が成立した場合より遊技者の有利度合いの大きな特定遊技状態に遊技状態を移行させる第２特典付与手段と
を備え、
前記各周回体のうち規定の周回体には、前記第１入賞を形成する第１特定絵柄を前記規定期間に前記有効位置に到達させることが可能なタイミングで対応する停止操作手段が操作された場合には前記第２入賞を形成する第２特定絵柄が前記有効位置に到達せず、前記第２特定絵柄を前記規定期間に前記有効位置に到達させることが可能なタイミングで対応する停止操作手段が操作された場合には前記第１特定絵柄が前記有効位置に到達しないよう、前記第１特定絵柄と前記第２特定絵柄を離間して配置したことを特徴とする遊技機。
【請求項５】
遊技状態が前記特定遊技状態に移行した場合、入賞成立時に遊技媒体を払い出す特典が付与される所定役の当選確率を、通常遊技状態下における前記所定役の当選確率より高確率に変更する当選確率変更手段と、
前記特定役に当選した遊技から前記特定遊技状態が終了する遊技までの間に遊技者が遊技に用いた遊技媒体数と遊技者に払い出した遊技媒体数の差が、前記特定役に当選した場合に遊技者が遊技に用いた遊技媒体数と前記第１枚数の差より大きくなるまで前記特定遊技状態が継続するものとなる特定遊技状態継続手段と
を備えることを特徴とする請求項４に記載の遊技機。
【請求項６】
前記第１入賞が成立した場合、所定回数の遊技が終了するまで遊技状態を第２特定遊技状態に移行させることが可能な第２特定遊技状態移行手段と、
遊技状態が前記第２特定遊技状態に移行した場合、前記所定役より入賞成立時に多くの遊技媒体を払い出す特典が付与される第２所定役の当選確率を、通常遊技状態下における前記第２所定役の当選確率より高確率に変更する第２当選確率変更手段と
を備え、
前記特定遊技状態継続手段は、前記特定役に当選した遊技から前記特定遊技状態が終了する遊技までの間に遊技者が遊技に用いた遊技媒体数と遊技者に払い出した遊技媒体数の差が、前記特定役に当選した遊技から前記第２特定遊技状態が終了する遊技までの間に遊技者が遊技に用いた遊技媒体数と遊技者に払い出した遊技媒体数の差より大きくなるまで、前記特定遊技状態を継続させることが可能であることを特徴とする請求項５に記載の遊技機。
【請求項７】
前記抽選手段が抽選を行う役として、入賞成立時に遊技者の所有する遊技媒体を減少させることなく再度の遊技を可能とする特典が付与される再遊技役と、入賞成立時に遊技媒体を払い出す特典が付与される所定役とを備え、
遊技状態が前記特定遊技状態に移行した場合、該特定遊技状態下でいずれの役にも当選しない確率が通常遊技状態下でいずれの役にも当選しない確率より低確率となるよう、前記再遊技役の当選確率を通常遊技状態下における前記再遊技役の当選確率より高確率に変更する当選確率変更手段と、
前記特定役に当選した遊技から前記特定遊技状態が終了する遊技までの間に遊技者が遊技に用いた遊技媒体数と遊技者に払い出した遊技媒体数の差が、前記特定役に当選した場合に遊技者が遊技に用いた遊技媒体数と前記第１枚数の差より大きくなるまで前記特定遊技状態が継続するものとなる特定遊技状態継続手段と
を備えることを特徴とする請求項４に記載の遊技機。